(57)【要約】      （修正有）【課題】例えば引戸錠に好適で、防御能力を向上し、不正な解錠操作を阻止し得るとともに、ドアまたは枠体との取り付け精度や、構成部材の寸法精度を要することなく、容易かつ安価に製作でき取り付けられるドア錠の提供。【解決手段】ドア１，２または枠体に装着可能な錠本体Ｌと受箱６とを備え、錠本体Ｌに回動可能なロックカム２５と、カム２５の回動変位に連係して錠本体Ｌから出没可能なデッドボル７とを設けて、デッドボルト７を受箱６に出入り、かつ係脱可能にしたドア錠であり、デッドボルト７の先端部に係合部３２，５４を設け、受箱６の内部にデッドボルト７の出入域に臨ませてロックピ−ス５１を設けてロックピ−ス５１に係合部３２，５４と係脱可能な係合部５５，５６を設けた。【選択図】図１３
2007327254.tif 000002
【特許請求の範囲】
【請求項１】
ドアまたは枠体に装着可能な錠本体と受箱とを備え、前記錠本体に回動可能なロックカムと、該カムの回動変位に連係して錠本体から出没可能なデッドボルトとを設け、該デッドボルトを前記受箱に出入り、かつ係脱可能にしたドア錠において、前記デッドボルトの先端部に係合部を設け、前記受箱の内部に前記デッドボルトの出入域に臨ませてロックピ−スを設け、該ロックピ−スに前記係合部と係脱可能な係合部を設けたことを特徴とするドア錠。
【請求項２】
前記デッドボルトとロックピ−スの係合部を、互いに係合可能な凹凸状に形成した請求項１記載のドア錠。
【請求項３】
前記ロックピ−スをリンク機構に連係し、ロックピ−スの係脱作動を保持可能にした請求項１記載のドア錠。
【請求項４】
前記ロックピ−スを回動可能に設け、該ロックピ−スをデッドボルトの進退動に連係して正転または逆転可能にした請求項３記載のドア錠。
【請求項５】
前記デッドボルトにロック金具を移動可能に設け、該ロック金具を前記ロックカムに係合可能に配置し、前記ロック金具の先端部に切欠部を形成し、該切欠部を前記ロックピ−スの係合部に係合可能に設け、前記ロックピ−スの回動を阻止可能にした請求項１記載のドア錠。
【請求項６】
前記ロック金具を前記ロックカムの施錠回動終期に係合可能に設け、前記ロック金具の切欠部を前記ロックピ−スの係合部に係合可能に移動させた請求項５記載のドア錠。
【請求項７】
前記ロック金具を前記ロックカム側に移動可能に付勢し、前記ロックカムの解錠作動時、前記ロック金具の切欠部を前記ロックピ−スの係合部から後退させ、かつそれらの係合を解除して、前記ロックピ−スの回動を可能にした請求項１記載のドア錠。
【請求項８】
前記錠本体の側端部に係合溝を設けるとともに、前記ドアまたは枠体に装着可能なブラケットを設け、該ブラケットに前記係合溝に係合可能なガイド溝を有するガイドレ−ルを設け、前記ガイド溝に前記係合溝を係合し、前記ブラケットに錠本体を装着可能にした請求項１記載のドア錠。
【請求項９】
前記ブラケットに張出片を突設し、該張出片の側壁をガイドレ−ルに直交配置し、該側壁とガイドレ−ルとの相直交する端面にドアまたは枠体を装着可能にし、前記相直交する端面にドアまたは枠体の上下方向に長孔を形成し、該長孔に沿ってドアまたは枠体を装着可能した請求項８記載のドア錠。
【請求項１０】
前記ガイドレ−ルにドアまたは枠体の厚さ方向に長孔を形成し、該長孔に沿って錠本体を装着可能した請求項９記載のドア錠。
【請求項１１】
前記受箱内に複数の長溝を形成し、該長溝にナットを摺動可能に収容し、該長溝に沿って前記ナットを移動し、前記受箱をドアまたは枠体の前後方向に装着可能した請求項１記載のドア錠。
【発明の詳細な説明】
【技術分野】
【０００１】
本発明は、例えば引戸錠に好適で、防御能力を向上し、不正な解錠操作を阻止し得るとともに、ドアまたは枠体との取り付け精度や、構成部材の寸法精度を要することなく、容易かつ安価に製作でき取り付けられるドア錠に関する。
【背景技術】
【０００２】
例えば引戸錠として、扉の自由端部に錠箱を取り付け、該錠箱内に鉤部を有するラッチ体を上下方向に回動可能に設け、該ラッチ体を軸支するスライダ−を上下動可能に設け、該スライダ−に中間レバ−の一端をピン連結し、その他端をトリガ−体に係合可能に配置し、前記トリガ−体を錠箱のフロント板から突出可能に付勢し、その突出端部を扉枠に当接可能に配置する一方、扉枠の内部にトロヨケを設け、該トロヨケの開口側に係止孔を有するストライク板を配置したものがある。
【０００３】
前記引戸錠は、開扉時にトリガ−体をフロント板から突出し、スライダ−に連結したラッチ体を錠箱内に位置付け、閉扉時にトリガ−体を扉枠に当接させ、該トリガ−体を錠箱内に押し込んで中間レバ−を回動させ、スライダ−をフロント板側へ移動し、これにラッチ体を同動させて、ラッチ体の鉤部をストライク板の係止孔の口縁部に係合し、閉扉状態を維持させていた。
一方、開扉時にラッチ体の直上に配置した解除部材を操作し、該解除部材をラッチ体の他端部に係合させ、該ラッチ体を上向きに回動して、前記鉤部と係止孔との係合を解除し、開扉していた（例えば、特許文献１参照）。
【０００４】
しかし、前記引戸錠は、ラッチ体の鉤部をストライク板の係止孔に係合して施錠しているため、例えば扉と扉枠の間に薄厚の不正器具を差し込んで引き上げると、前記鉤部と係止孔との係合が解除されて解錠され、開扉される惧れがあった。
しかも、前記引戸錠は、施錠時の異音の発生を防止するため、鉤部と係止孔との係合時の間隙をなるべく小さくする必要があり、そのために扉と扉枠の取り付け精度や、構成部品の寸法精度を高める必要があり、結果的に製造コストが上昇する問題があった。
【０００５】
前記問題を解決するものとして、引戸の下部框の一端部側面に操作部材を回動可能に設け、前記下部框に錠ケ−スを設け、該錠ケ−ス内に前記操作部材に同動可能なダルマを回動可能に設け、該ダルマに第１および第２駆動ア−ムを突設し、一方、引戸の移動域の床面にストライクを設け、該ストライクの係合凹所に係脱可能なデッドボルトを前記ダルマの近接位置に取り付け、前記デッドボルトを上位デッドボルトと下位デッドボルトとで伸縮可能に連結したものがある。
【０００６】
そして、下位デッドボルトに設けた係合ア−ムと前記第２駆動ア−ムを係合可能に配置し、前記デッドボルトを錠ケ−ス内では収縮し、施錠時にダルマを施錠方向に回動してデッドボルトを伸長し、該デッドボルトをストライクの係合凹所へ係合し、引戸を持ち上げてもデッドボルトをストライクから容易に外れないようにしていた（例えば、特許文献２参照）。
【０００７】
しかし、前記引戸錠は、デッドボルトを単に伸長して閂状に形成し、これをストライクの係合凹所に係合させているため、引戸をデッドボルトの係合代以上に持ち上げると、実質的に解錠され開扉される惧れがあり、しかも構造が複雑で製造コストが高価になるという問題があった。
【０００８】
また、前記問題を解決するものとして、ドアの端面から出没するラッチボルトの頭部に磁石を挿入したマグネットケ−スを設け、また框に設けたストライクボックスの底部に磁石とマグネットカバ−を設け、施錠時に双方の磁石の吸引作用によって、ストライクボックスにラッチボルトの頭部を吸着するようにしたドア錠がある（例えば、特許文献３参照）。
【０００９】
しかし、前記ドア錠は、双方の磁石の吸引作用によって、施錠時の防御能力を強化できるが、磁石の吸引力には限界があり、不正な開扉を阻止することまで期待できない。
【００１０】
【特許文献１】実開平５−８９７５０号公報
【特許文献２】特開平１０−１０２８５５号公報
【特許文献３】特開平９−１７７３９１号公報
【発明の開示】
【発明が解決しようとする課題】
【００１１】
本発明はこのような問題を解決し、例えば引戸錠に好適で、防御能力を向上し、不正な解錠操作を阻止し得るとともに、ドアまたは枠体との取り付け精度や、構成部材の寸法精度を要することなく、容易かつ安価に製作でき取り付けられる、ドア錠を提供することを目的とする。
【課題を解決するための手段】
【００１２】
請求項１の発明は、ドアまたは枠体に装着可能な錠本体と受箱とを備え、前記錠本体に回動可能なロックカムと、該カムの回動変位に連係して錠本体から出没可能なデッドボルトとを設け、該デッドボルトを前記受箱に出入り、かつ係脱可能にしたドア錠において、前記デッドボルトの先端部に係合部を設け、前記受箱の内部に前記デッドボルトの出入域に臨ませてロックピ−スを設け、該ロックピ−スに前記係合部と係脱可能な係合部を設け、受箱内に設けたロックピ−スによってデッドボルトを確実に係合かつ保持し、デッドボルトを受箱の開口縁に係合させるだけの従来のものに比べ、ドア錠の防御能力を強化するようにしている。
【００１３】
請求項２の発明は、前記デッドボルトとロックピ−スの係合部を、互いに係合可能な凹凸状に形成し、それらの係合を確実かつ強化して、ドア錠の防御能力を強化するようにしている。
請求項３の発明は、前記ロックピ−スをリンク機構に連係し、ロックピ−スの係脱作動を保持可能にし、ロックピ−スの係脱作動を円滑かつ安定させ、確実かつ円滑な施解錠作動を得られるようにしている。
請求項４の発明は、前記ロックピ−スを回動可能に設け、該ロックピ−スをデッドボルトの進退動に連係して正転または逆転可能にし、ロックピ−スの係脱作動をデッドボルトの進退動に連係し、確実かつ安定させるようにしている。
【００１４】
請求項５の発明は、前記デッドボルトにロック金具を移動可能に設け、該ロック金具を前記ロックカムに係合可能に配置し、前記ロック金具の先端部に切欠部を形成し、該切欠部を前記ロックピ−スの係合部に係合可能に設け、前記ロックピ−スの回動を阻止可能にして、前記デッドボルトとロックピ−スの係合部の係合作動に加え、前記切欠部による係合配置によって、ロックピ−スの回動を確実かつ強力に阻止し、錠前の防御能力を強化向上するようにしている。
【００１５】
請求項６の発明は、前記ロック金具を前記ロックカムの施錠回動終期に係合可能に設け、前記ロック金具の切欠部を前記ロックピ−スの係合部に係合可能に移動させ、前記ロックカムの作動に連係させて、ロック金具の回動阻止を施錠時終期に確実に実行可能にしている。
請求項７の発明は、前記ロック金具を前記ロックカム側に移動可能に付勢し、前記ロックカムの解錠作動時、前記ロック金具の切欠部を前記ロックピ−スの係合部から後退させ、かつそれらの係合を解除して、前記ロックピ−スの回動を可能にし、解錠時におけるロック金具とロックピ−スの合理的な作動を実現可能にしている。
【００１６】
請求項８の発明は、前記錠本体の側端部に係合溝を設けるとともに、前記ドアまたは枠体に装着可能なブラケットを設け、該ブラケットに前記係合溝に係合可能なガイド溝を有するガイドレ−ルを設け、前記ガイド溝に前記係合溝を係合し、前記ブラケットに錠本体を装着可能にし、ブラケットを介し錠本体を容易に装着し得るようにしている。
請求項９の発明は、前記ブラケットに張出片を突設し、該張出片の側壁をガイドレ−ルに直交配置し、該側壁とガイドレ−ルとの相直交する端面にドアまたは枠体を装着可能にし、前記相直交する端面にドアまたは枠体の上下方向に長孔を形成し、該長孔に沿ってドアまたは枠体を装着可能し、ブラケットの取り付け位置を、ドアまたは枠体の上下方向に調整し得るようにしている。
【００１７】
請求項１０の発明は、前記ガイドレ−ルにドアまたは枠体の厚さ方向に長孔を形成し、該長孔に沿って錠本体を装着可能し、ブラケットの取り付け位置の調整を、ドアまたは枠体の上下方向と、その厚さ方向にも調整し得るようにして、ブラケットを所望の位置に取り付けられるようにしている。
請求項１１の発明は、前記受箱内に複数の長溝を形成し、該長溝にナットを摺動可能に収容し、該長溝に沿って前記ナットを移動し、前記受箱をドアまたは枠体の前後方向に装着可能し、前記受箱の取り付け位置の調整を実現可能にしている。
したがって、前記ブラケットと錠本体と受箱の位置調整によって、ドアまたは枠体に対し錠前を三軸方向へ調整し得る。
【発明の効果】
【００１８】
請求項１の発明は、デッドボルトの先端部に係合部を設け、前記受箱の内部に前記デッドボルトの出入域に臨ませてロックピ−スを設け、該ロックピ−スに前記係合部と係脱可能な係合部を設けたから、受箱内に設けたロックピ−スによってデッドボルトを確実に係合かつ保持し、デッドボルトを受箱の開口縁に係合させるだけの従来のものに比べ、ドア錠の防御能力を強化することができる。
請求項２の発明は、前記デッドボルトとロックピ−スの係合部を、互いに係合可能な凹凸状に形成したから、それらの係合を確実かつ強化し、ドア錠の防御能力を強化することができる。
【００１９】
請求項３の発明は、前記ロックピ−スをリンク機構に連係し、ロックピ−スの係脱作動を保持可能にたから、ロックピ−スの係脱作動を円滑かつ安定させ、確実かつ円滑な施解錠作動を得られる効果がある。
請求項４の発明は、前記ロックピ−スを回動可能に設け、該ロックピ−スをデッドボルトの進退動に連係して正転または逆転可能にしたから、ロックピ−スの係脱作動をデッドボルトの進退動に連係して、確実かつ安定させることができる。
【００２０】
請求項５の発明は、前記デッドボルトにロック金具を移動可能に設け、該ロック金具を前記ロックカムに係合可能に配置し、前記ロック金具の先端部に切欠部を形成し、該切欠部を前記ロックピ−スの係合部に係合可能に設け、前記ロックピ−スの回動を阻止可能にしたから、前記デッドボルトとロックピ−スの係合部の係合作動に加え、前記切欠部による係合配置によって、ロックピ−スの回動を確実かつ強力に阻止し、錠前の防御能力を強化向上することができる。
【００２１】
請求項６の発明は、前記ロック金具を前記ロックカムの施錠回動終期に係合可能に設け、前記ロック金具の切欠部を前記ロックピ−スの係合部に係合可能に移動させたから、前記ロックカムの作動に連係させて、ロック金具の回動阻止を施錠時終期に確実に実行させることができる。
請求項７の発明は、前記ロック金具を前記ロックカム側に移動可能に付勢し、前記ロックカムの解錠作動時、前記ロック金具の切欠部を前記ロックピ−スの係合部から後退させ、かつそれらの係合を解除して、前記ロックピ−スの回動を可能にしたから、解錠時におけるロック金具とロックピ−スの合理的な作動を実現することができる。
【００２２】
請求項８の発明は、前記錠本体の側端部に係合溝を設けるとともに、前記ドアまたは枠体に装着可能なブラケットを設け、該ブラケットに前記係合溝に係合可能なガイド溝を有するガイドレ−ルを設け、前記ガイド溝に前記係合溝を係合し、前記ブラケットに錠本体を装着可能にしたから、ブラケットを介し錠本体を容易に装着することができる。
請求項９の発明は、前記ブラケットに張出片を突設し、該張出片の側壁をガイドレ−ルに直交配置し、該側壁とガイドレ−ルとの相直交する端面にドアまたは枠体を装着可能にし、前記相直交する端面にドアまたは枠体の上下方向に長孔を形成し、該長孔に沿ってドアまたは枠体を装着可能したから、ブラケットの取り付け位置を、ドアまたは枠体の上下方向に調整することができる。
【００２３】
請求項１０の発明は、前記ガイドレ−ルにドアまたは枠体の厚さ方向に長孔を形成し、該長孔に沿って錠本体を装着可能したから、ブラケットの取り付け位置の調整を、ドアまたは枠体の上下方向と、その厚さ方向にも調整することができ、ブラケットを所望の位置に取り付けることができる。
請求項１１の発明は、前記受箱内に複数の長溝を形成し、該長溝にナットを摺動可能に収容し、該長溝に沿って前記ナットを移動し、前記受箱をドアまたは枠体の前後方向に装着可能したから、前記受箱の取り付け位置の調整を実現することができる。
したがって、前記ブラケットと錠本体と受箱の位置調整によって、ドアまたは枠体に対し錠前を三軸方向へ調整することができる。
【発明を実施するための最良の形態】
【００２４】
以下、本発明を引戸錠に適用した図示の実施形態について説明すると、図１乃至図１５において１,２はアルミニウム枠製のドアである引き違い戸で、互いに近接して平行移動かつ開閉可能に構成されている。
前記一方のドア１の後部上端にブラケット３が取り付けられ、該ブラケット３に錠本体Ｌを構成する錠ケ−ス４と、該錠ケ−ス４の一側を閉塞する錠カバ−５とが取り付けられ、他方のドア２の前部上端の内部に受箱６が収容され、前記ドア１,２の閉扉時、デッドボルト７を受箱６内に突出し、後述するカムに連結して施錠可能にしている。
【００２５】
図中、８は錠ケ−ス４の略中央に取り付けた略円錐台形の取付座で、その中央にシリンダ錠９を下向きに突設しており、その下端面の鍵孔１０にキ−１１を差し込み、シリンダ錠９に内蔵したシリンダ（図示略）を回動可能にしている。
１２は前記受箱６の前面に取り付けたストライク板で、その中間部にデッドボルト７を出入り可能な通孔１３が形成され、その両側にビス孔７８〜８０を形成している。
【００２６】
前記ブラケット３はアルミニウムダイカストによって平面略鎌形に成形され、これはガ
イド溝１４を外側に開口したガイドレ−ル１５と、ガイドレ−ル１５の略半部から内側に突設した略三角柱状の張出片１６とからなり、前記ガイド溝１４の底部に互いに直交する異軸方向に沿って、ビス（図示略）を挿入可能な長孔１７,１８を形成している。
前記張出片１６は略直角三角柱状の凹部１９を内側に形成し、またガイドレ−ル１５と直交する仕切壁２０に前記長孔１８と平行して、ビス（図示略）を挿入可能な長孔２１を形成し、該長孔１７,２１を凹部１９に連通している。
【００２７】
前記錠ケ−ス４はアルミニウムダイカストによって略正方形の板体に成形され、その内側に平面が矩形状のスライド溝２２が形成され、該溝２２の一端が錠ケ−ス４の周壁を切り欠いて前面に開口され、該溝２２に前記デッドボルト７を摺動可能に収容している。
【００２８】
前記スライド溝２２の中間部に略扇形の仕切溝２３が外側に延設され、該溝２３の扇形中心部に軸孔２４が形成されている。前記軸孔２４にロックカム２５の軸筒部２６が回動可能に収容され、該カム２５を前記仕切溝２３の周壁に当接して、その回動角度を規制している。
図中、２７は軸筒部２６の内部に形成したスリワリ溝で、その内部にシリンダ−錠９のシリンダ−（図示略）に連動可能な連結板２８が挿入されている。
【００２９】
前記錠カバ−５は、アルミニウムダイカストによって錠ケ−ス４と略同形の板体に成形され、その内側にデッドボルト７を摺動可能に収容するスライド溝（図示略）と、ロックカム２５の軸筒部２６を回動可能に収容する軸孔（図示略）と、該カム２５の回動角度を規制するロ−タリ−溝（図示略）を形成している。
実施形態では、錠ケ−ス４と錠カバ−５の内部構造を上下に対称に形成し、錠カバ−５にもシリンダ−錠９を取り付け可能にして、それらの両用化と製作の合理化、並びにドア１,２の取り付けの合理化を図っている。
【００３０】
図中、２９,３０は錠ケ−ス４と錠カバ−５の外周面に形成した係合溝で、これらを前記ブラケット３のガイド溝１４に嵌合し、ブラケット３に対する錠ケ−ス４と錠カバ−５の取り付けの容易化と合理化を図っている。
【００３１】
前記デッドボルト７は、アルミニウムダイカストによって、肉厚の矩形の略板体に成形され、その平面形状は前記スライド溝２２と略同形に形成されていて、その後端部にテ−パ状の係合面３１ａを形成した係合アーム３１を突設し、デッドボルト７が後退する解錠時、前記係合面３１ａをロックカム２５の先端部に近接して配置している。
【００３２】
前記デッドボルト７の過半部は略屋根形に形成され、その内側周面の両側に係合部である凹部３２とバネ室３３が形成され、該バネ室３３にスプリング３４が収容されている。
前記凹部３２に隣接するデッドボルト７の端部に、係合部である係合突起５４が突設され、これら凹部３２と係合突起５４に後述のロックピ−スを係脱可能に収容し、施解錠可能にしている。
【００３３】
前記デッドボルト７の上下両側面に幅広で平滑な段部３５が形成され、該段部３５にロック金具３６が摺動可能に取り付けられている。図中、３５ａは段部３５の後端部に形成したテ−パ部である。
前記ロック金具３６はコ字形断面に形成され、その中間部にビス３７を挿入可能な長孔３８が形成され、前記ビス３７を段部３５の中間部に形成したネジ孔３９に若干浮かしてねじ込み、ロック金具３６を移動可能に取り付けている。
【００３４】
前記ロック金具３６の後端部にバネ受４０が屈曲形成され、該バネ受４０がバネ室３３の後部開口縁に配置され、該バネ受４０に前記スプリング３４の一端が係合し、該スプリング３４の弾性によってロック金具３６を後方へ付勢している。
図中、３６ａはロック金具３６の前端部に形成した湾曲状の切欠部で、施錠時、その開口縁を後述するクリックカムの係合凸部の基部に係合可能に近接配置させている。
【００３５】
前記係合アーム３１と段部３５との間に矩形断面の頸部４１が設けられ、該頸部４１にスプリング４２を介してコ字形断面の係合片４３が取り付けられている。前記係合片４３はスプリング４２の弾性によって内側へ付勢され、その背面をロックカム２５の先端部と係合可能に配置されている。
図中、４４は係合アーム３１の外端部に取り付けたストッパ、４５は錠ケ−ス４と錠カバ−５を連結するビス（図示略）をねじ込むネジ孔である。
【００３６】
前記受箱６は前記錠本体Ｌに対向するドア２の内部に配置され、該受箱６はアルミニウムダイカストによって略蒲鉾形に成形され、これは略蒲鉾形の受箱ケ−ス４６と、該ケ−ス４６の一側を閉塞する受箱カバ−４７とからなり、その中央部の前記スライド溝２２と対向位置に開口部４８が形成されている。
【００３７】
前記受箱ケ−ス４６の内部に、前記開口部４８を形成する凹部４９と、該凹部４９に連通する幅広のカム室５０が形成され、前記カム室５０の中間部にロックピ−ス５１が回動可能に支持されている。
前記ロックピ−ス５１は鋼板をプレス成形して略扇形に形成され、その回動中心部にピン孔５２が形成され、該ピン孔５２にカム室５０に立設したピン５３が挿入されている。
【００３８】
前記ロックピ−ス５１の周面に長孔状の係合凹部５５と、略尾びれ状の係合凸部５６とが隣接して形成され、これらに前記デッドボルト７の係合突起５４と凹部３２とを係合可能にしている。
図中、５７はカム室５０の前部側内壁に内側に突設した凸部で、前記係合凸部５６と係合可能に配置され、ロックピ−ス５１の解錠時における回動位置を規制可能にしている。
【００３９】
前記凸部５７に隣接するカム室５０の後部内壁は直線状に形成され、該後部内壁にロックピ−ス５１の周面を係合可能に配置し、ロックピ−ス５１の施錠時における回動位置を規制可能にしている。
【００４０】
前記ロックピ−ス５１の係合凸部５６と反対側にピン孔５８が形成され、該ピン孔５８にカム室５０に立設したピン５９が挿入されている。
前記ロックピ−ス５１を挟む上下位置に、リンク機構を構成する一対のリンク６０の一端が、ピン孔６１を介して前記ピン５９に回動可能に連結され、この他端がピン孔６２を介してピン６３に回動可能に連結されている。
【００４１】
前記ピン６３の一端はカム室５０の後部側に形成した長孔６４に摺動可能に挿入され、該ピン６３とカム室５０の定位置に配置したピン６５との間に、スプリング６６が若干圧縮されて介挿され、該スプリング６６の弾性を介して、一対のリンク６０をロックピ−ス５１側へ移動可能に付勢し、該ロックピ−ス５１を施錠方向へ回動可能に付勢している。
【００４２】
図中、６７，６８は受箱６の開口部４８の両側に形成した、ストライク板１２の取付け用のビス孔で、それらは受箱ケ−ス４６の所定位置に溝または長溝を形成し、その開口側に受箱カバ−４７を接合して構成している。
このうち、一方のビス孔６７はビス６９の螺軸より若干大径に形成され、他方のビス孔６８は長孔状に形成され、前記螺軸の端部に角板状のナット７０，７１がねじ込まれている。
【００４３】
図中、７２，７３は前記ナット７０，７１をドア２の前後方向に移動可能に収容する長溝、７４はドア２の内面に形成した開口窓で、該開口窓７４を介して受箱６をドア２の内部に収容可能にしている。
７５は受箱ケ−ス４６に設けたネジ孔で、受箱カバ−４７の外側からビス７６がねじ込んで、該カバ−４７を受箱ケ−ス４６に取り付けている。
【００４４】
この他、７６は錠ケ−ス４と錠カバ−５との接合位置合わせ用の凸部で、錠カバ−５の凹部に係合可能にされ、該凸部７６の内側にネジ孔７７が形成され、該ネジ孔７７にボルトまたはビスをねじ込み可能にしている。
図中、８１はデッドボルト７の中間部に突設した係止凸部で、スライド溝２２の内壁の係止凹部８２に係合可能に配置されている。
【００４５】
なお、上記実施形態は錠本体Ｌと受箱６とをドア１，２の上端部に設けているが、これをドア１，２の下端部に設けても良く、またシリンダ−錠９を鉛直方向に配置しているが、ドア１に対し水平に配置するようにしても良い。
更に、上記実施形態はドア１，２を引き違い戸に適用したが、一本引き戸であってもよく、またその材質をアルミニウム枠製の代わりに、木製、合板製としても良い。
また、前記ドア１は引き戸に限らず、一側端部を回動可能に支持し前後方向に開閉するドアであっても良く、更には引き戸型若しくは一側端部を回動可能に支持する門扉であっても良い。
【００４６】
このように構成したドア錠は錠本体Ｌと受箱６とで構成され、錠本体Ｌは錠ケ−ス４と、錠カバ−５と、駆動カム２６と、デッドボルト７と、シリンダ−錠９とで構成されている。
このうち、錠ケ−ス４と錠カバ−５、および駆動カム２６とデッドボルト７は、主要部をアルミニウムダイカストで成形し、シリンダ−錠９は市販のものを使用し、また錠ケ−ス４と錠カバ−５とは上下対称に構成しているから、製作の合理化と部品の共用化を図れ、錠ケ−ス４と錠カバ−５を上下に反転した錠本体Ｌの使用や、一側端部の吊り元を回動可能に支持するドアに対しては、左右の吊り元位置の変更を図れる。
【００４７】
前記デッドボルト７は、段部３５にロック金具３６を組み付け、頸部４１に係合片４３を組み付ける。このうち、頸部４１に係合片４３を組み付ける場合は、スプリング４２を介在して係合片４３を頸部４１に嵌合する。
また、段部３５にロック金具３６を組み付ける場合は、凹部３３にスプリング３４を収容し、ロック金具３６を段部３５に嵌合し、前記スプリング３４の外端部をバネ受４０に係合したところで、ビス３７を長孔３８に挿入し、これを段部３９のネジ孔３９にねじ込む。この状況は図８のようである。
【００４８】
こうして組み付けたデッドボルト７は、係合片４３がスプリング４２によって外側へ付勢され、またロック金具３６がスプリング３４によって係合片４３側に付勢され、該係合片４３にロック金具３６が係合している。
【００４９】
次に、前記錠ケ−ス４と錠カバ−５、駆動カム２６とデッドボルト７、シリンダ−錠９を用いて錠本体Ｌを組み付ける場合は、錠ケ−ス４のスライド溝２２にデッドボルト７のアセンブリを収容する。
その際、デッドボルト７の先端部をスライド溝２２の開口側に向け、また軸孔２４にロックカム２５の軸筒部２６を挿入し、ロックカム２５の先端部を係合片４３に係合し、内部のスプリング４２を押し縮めて、係合片４３を頸部４１側へ移動し、ロックカム２５の先端部を係合面３１ａと係合片４３に係合する。この状況は図６および図７のようである
【００５０】
この後、錠ケ−ス４に錠カバ−５を重合し、錠ケ−ス４からネジ孔４５にビス（図示略）をねじ込み、これを錠カバ−５のネジ孔４５にねじ込んで、錠ケ−ス４と錠カバ−５とを連結する。
そして、錠ケ−ス４に表出した軸筒部２６のスリワリ２７に連結板２８を挿入し、他端をシリンダ錠９のシリンダ（図示略）に係合配置する。前記シリンダ錠９に取付座８を係合し、該取付座８を前記スリワリ２７の外側に位置付け、錠カバ−５からビスを取付座８にねじ込み、これを緊締して、錠ケ−ス４にシリンダ錠９を組み付ける。
【００５１】
一方、受箱６を組み立てる場合は、受箱ケ−ス４６と受箱カバ−４７を用意し、受箱ケ−ス４６のカム室５０にピン５３を立設し、該ピン５３にロックピ−ス５１を回動可能に支持する。
そして、ピン孔５８にピン５９を挿入し、ロックピ−ス５１を鋏んで一対のリンク６０の一端をピン５９に回動可能に配置し、前記リンク６０の他端にピン６３を挿入し、該ピン６３の一端を長孔６４に摺動可能に挿入する。
【００５２】
次に、前記リンク６０，６０の間のピン６３に圧縮スプリング６６の一端を掛け止め、他端をカム室５０に立設したピン６５に掛け止め、前記スプリング６６の弾性を介してピン６３をロックピ−ス５１側に付勢する。
また、長溝７２，７３にナット７０，７１を収容したところで、受箱ケ−ス４６上に受箱カバ−４７を重合し、該カバ−４７の外側からビス７６を挿入し、これをネジ孔７５にねじ込んで緊締し、受箱ケ−ス４６と受箱カバ−４７を連結する。
【００５３】
こうして組み立てた受箱６は、ピン６３がスプリング６６の弾性によってロックピ−ス５１側に付勢され、これにリンク６０の一端が同動して、リンク６０に連結されたロックピ−ス５１がピン５３を中心に開口部４８側へ回動し、係合凸部５６が凸部５７に係合して静止している。
【００５４】
次に、組み立てた錠本体Ｌと受箱６をドア１，２に取り付ける場合は、錠本体Ｌをドア１に取り付け、受箱６をドア２に取り付ける。
先ず、受箱６をドア２に取り付ける場合は、ドア２の所定位置に開口窓７４を形成し、該開口窓７４から受箱６を挿入し、その前端部を開口窓７４の開口縁部の内側に位置付ける。
そして、開口窓７４の外側開口縁部にストライク板１２を位置付け、該ストライク板１２のビス孔７８，７９にビス６９を挿入し、これをナット７０，７１にねじ込んで緊締する。
【００５５】
その際、ナット７０，７１を長溝７２，７３に沿って移動することによって、受箱６をドア２の前後方向に移動調整できる。この後、ビス６９をビス孔８０に挿入し、これをドア２のネジ孔にねじ込んで緊締し、ドア２の内側に受箱６を固定する。
【００５６】
次に、錠本体Ｌをドア１に取り付ける場合は、前記受箱６の取り付け位置に対応するドア１の後端部にブラケット１６を位置付け、その長孔１８，２１にビス（図示略）を挿入してドア１にねじ込む。
その際、長孔１８，２１に沿ってブラケット１６を移動することによって、ドア１に対するブラケット１６の高さ位置を調整できる。
【００５７】
こうして取り付けたブラケット１６に錠本体Ｌを取り付ける場合は、ブラケット１６のガイド溝１４の側方に錠本体Ｌを保持し、その係合溝２９，３０をガイド溝１４に嵌合し、その所定位置でボルト（図示略）を長孔１７に挿入し、これをネジ孔７７にねじ込んで緊締する。
その際、錠本体Ｌを長孔１７に沿って移動することによって、錠本体Ｌをドア１の内外方向へ位置調整でき、受箱６に対し近接離反調整可能になって、デッドボルト７とロックピ−ス５１との係合調整が可能になる。
【００５８】
こうして取り付けた錠本体Ｌと受箱６の取り付け状況は図１のようで、ト゛ア１の後端部の上端に錠本体Ｌが取り付けられ、ドア２の前端部の上端に受箱６が取り付けられ、ドア１，２の閉扉時に錠本体Ｌと受箱６とが対向して位置する。
【００５９】
このようなドア錠において、その解錠時は図４および図６のように、デッドボルト７が錠本体Ｌの内側に移動し、ストッパ４４が錠ケ−ス４の内壁に係合するとともに、ロックカム２５の先端部が係合片４３に係合し、内側のスプリング４２の弾性に押圧されて、仕切溝２３の周壁に当接し静止している。
【００６０】
一方、受箱６の内側では、ピン６３がスプリング６６の弾性によってロックピ−ス５１側へ押圧され、これにリンク６０の一端が同動して、該リンク６０に連結されたロックピ−ス５１がピン５３を中心に開口部４８側へ回動し、係合凸部５６が凸部５７に係合して静止している。したがって、このような解錠時にはドア１，２を引き動かして開扉可能になる。
【００６１】
このような解錠状態からドア１，２を施錠する場合は、ドア１，２を引き動かして互いに閉扉し、錠本体Ｌと受箱６とを対向して位置付ける。
そして、キ−１１をシリンダ−錠９の鍵孔１０に差し込み、これを施錠方向へ回動すると、キ−１１の回動変位に内部のシリンダ−（図示略）が同動し、これに連結板２８が同動して、該連結板２８と係合するロックカム２５が回動する。
【００６２】
このため、ロックカム２５が係合片４３を介して内側のスプリング４２を押し縮め、係合片４３を頸部４１側へ押し動かすとともに、ロックカム２５がデッドボルト７の後端部に係合し、該デッドボルト７をロック金具３６と一緒に錠本体Ｌの外側へ押し動かす。
【００６３】
前記デッドボルト７はスライド溝２２上を摺動して錠本体Ｌの外側へ移動し、その先端部が錠本体Ｌから突出してストライク板１２の通孔１３に進入し、デッドボルト７の係合突起５４がロックピ−ス５１の係合凹部５５に係入する。この状況は図１１および図１２のようである。
【００６４】
キ−１１の前記回動操作が続行され、ロックカム２５が更に回動すると、該カム２５に係合するデッドボルト７が更に外側へ移動し、その係止凸部８１が錠ケ−ス４の係止凹部８２に係合して、デッドボルト７の突出作動が停止する。
そして、前記デッドボルト７が図１１の状態から更に外側へ突出すると、係合突起５４が係合凹部５５に当接して、該カム５１を後方へ押し動かし、該ロックピ−ス５１を、ピン５３を中心に図１１上反時計方向へ回動させる。
【００６５】
こうして、デッドボルト７が更に外側へ突出すると、係合突起５４が係合凹部５５に係合し、ロックピ−ス５１が更に後方へ押し動かされて、該カム５１がピン５３を中心に図１１上、更に反時計方向へ回動する。
このため、リンク６０の一端がロックピ−ス５１に同動して起立し、他端のピン６９が長孔６４に沿って移動して、スプリング６６をその弾性に抗して押し縮める。
この後、ロックピ−ス５１が若干回動し、リンク６０が更に起立して、スプリング６６が押し縮められる。
【００６６】
そして、デッドボルト７が突出作動を停止すると、ロックカム２５の先端部がデッドボルト７の後端部のテ−パ部３５ａから離間し、一方、ロック金具３６がスプリング３４の弾性によって内側へ付勢され、前記金具３６の後端部がロックカム２５の先端部の回動域に位置して、該金具３６の後端部にロックカム２５の先端部が係合可能に位置する。
【００６７】
こうして、キ−１１が更に回動操作され、ロックカム２５が更に回動すると、該カム２５の先端部がロック金具３６の後端部に係合し、該金具３６をスプリング６６の弾性に抗して外側へ押し動かす。
このため、ロック金具３６が長孔３８に沿って段部３５上を滑動し、その先端の切欠部３６ａの口縁部がロックピ−ス５１の係合凸部５６の基部に係合可能に移動し、ロックピ−ス５１の回動を阻止して、施錠状態を形成する。この状況は図１３のようである。
【００６８】
このような施錠時には、デッドボルト７の先端部の係止突起５４と凹部３２が、受箱６の内部に配置したロックピ−ス５１の係合凹部５５と係合凸部５６に係合し、また切欠部３６ａの口縁部がロックピ−ス５１の係合凸部５６の基部に係合可能に位置して、デッドボルト７の後退動とロックピ−ス５１の回動を阻止している。
【００６９】
また、デッドボルト７の後端部がロックカム２５の先端部と係合可能に位置し、ロック金具３６の後端部がロックカム２５の先端部と係合して、デッドボルト７の後退を阻止するとともに、ロックカム２５の先端部が係合片４３と係合して押圧され、その側端部が仕切壁２３に係合して静止し、前述の状態を維持している。
【００７０】
したがって、ドア１，２の間に不正器具を挿入して、デッドボルト７の先端部とロックピ−ス５１の係合を解除することは事実上困難になり、またキ−操作以外にロックカム２５を解錠回動させることも事実上困難であるから、高い防御能力を奏する。
【００７１】
このような施錠状態を解錠する場合は、キ−１１をシリンダ−錠９の鍵孔１０に挿入し、これを解錠方向へ回動する。
このようにすると、キ−１１の回動変位に内部のシリンダ−（図示略）が同動し、これに連結板２８が同動して、該連結板２８と係合するロックカム２５が、図１３上時計方向へ回動する。
【００７２】
このため、ロックカム２５の先端部が係合片４３を押圧し、内側のスプリング４２を押し縮めて、係合片４３を頸部４１方向へ押し動かし、一方、前記ロックカム２５の回動分、ロック金具３６がスプリング３３の弾性によってロックカム２５側へ引き戻され、切欠部３６ａの口縁部がロックピ−ス５１の係合凸部５６の基部から後退して、ロックピ−ス５１を回動可能に形成する。
【００７３】
この後、キ−１１が更に回動操作され、ロックカム２５が前述と同方向へ回動すると、ロックカム２５の先端部が係合ア−ム３１に係合し、該ア−ム３１を介してデッドボルト７を図１３上右方へ押し動かし、該デッドボルト７を錠本体Ｌの内側へ引き戻して、その先端部を受箱６から引き抜く。
【００７４】
こうしてデッドボルト７が受箱６から後退すると、その係止突起５４と凹部３２に係合する係合凹部５５と係合凸部５６を介して、ロックピ−ス５１がピン５３を中心に図１３上時計方向へ回動し、該カム５１と同動するピン５９を介して、リンク６０の一端が引き動かされ、他端のピン６３が長溝６４に沿って移動して傾倒変位する。
【００７５】
こうしてキ−１１が更に回動操作され、ロックカム２５が前述と同方向へ回動すると、
前記ロックカム２５の回動分、デッドボルト７が錠本体Ｌの内側へ移動し、その後端部がスライド溝２２の奥部へ移動し、先端部が受箱６から引き抜かれて、ドア１，２の間に空隙が形成されて解錠され、この後ドア１，２を開扉することができる。この状況は図４のようである。
【００７６】
このように本発明は、錠本体Ｌと受箱６の双方の内部機構によって、確実かつ安定した施解錠作動と、強力な防御能力を実現したものである。
【産業上の利用可能性】
【００７７】
このように本発明のドア錠は、防御能力を向上し、不正な解錠操作を阻止し得るとともに、ドアまたは枠体との取り付け精度や、構成部材の寸法精度を要することなく、容易かつ安価に製作でき取り付けられるから、例えば引戸錠に好適である。
【図面の簡単な説明】
【００７８】
【図１】本発明を引き違い戸に適用した斜視図で、その閉扉時における施錠状態を示している。
【図２】本発明の要部を分解して示す斜視図である。
【図３】本発明に適用したブラケットを拡大して示す斜視図である。
【図４】本発明の解錠時の状況を示す横断面図である。
【図５】図１の正面図で、拡大して図示している。
【００７９】
【図６】本発明に適用した錠本体の開蓋状態を示す斜視図で、解錠時の状況を示している。
【図７】本発明に適用した錠本体の要部を分解して示す斜視図である。
【図８】本発明に適用したデッドボルトの要部を分解して示す斜視図である。
【図９】本発明に適用した受箱を拡大して示す斜視図である。
【図１０】本発明に適用した受箱の開蓋状態を拡大して示す斜視図で、施錠時における状況を示している。
【００８０】
【図１１】本発明に適用した錠本体の解錠時から施錠時への移行途中の状況を示す部分横断面図である
【図１２】本発明に適用した錠本体の開蓋状態を示す斜視図で、解錠時から施錠時への移行途中で、デッドボルトの突出途中でロック金具が突出前の状況を示している。
【図１３】本発明の施錠時の状況を示す横断面図である。
【図１４】本発明に適用した錠本体の開蓋状態を示す斜視図で、解錠時から施錠時への移行途中で、デッドボルトの突出後、ロック金具の突出前の状況を示している。
【００８１】
【図１５】本発明に適用した受箱の開蓋状態を拡大して示す斜視図で、解錠時における状況を示している。
【符号の説明】
【００８２】
１，２        ドア
６            受箱
７            デッドボルト
１４          ガイド溝
１５          ガイドレ−ル
１６          張出片
【００８３】
１７          長孔
１８          長孔
２１          長孔
２５          ロックカム
２９          係合溝
３０          係合溝
３２          係合部（凹部）
【００８４】
３２ａ        切欠部
５１          ロックピ−ス
５４          係合部（係合突起）
５５          係合部（係合凹部）
５６          係合部（係合凸部）
７０          ナット
【００８５】
７１          ナット
７２          長溝
７３          長溝
Ｌ            錠本体
【図１】
2007327254.tif 000003
【図２】
2007327254.tif 000004
【図３】
2007327254.tif 000005
【図４】
2007327254.tif 000006
【図５】
2007327254.tif 000007
【図６】
2007327254.tif 000008
【図７】
2007327254.tif 000009
【図８】
2007327254.tif 000010
【図９】
2007327254.tif 000011
【図１０】
2007327254.tif 000012
【図１１】
2007327254.tif 000013
【図１２】
2007327254.tif 000014
【図１３】
2007327254.tif 000015
【図１４】
2007327254.tif 000016
【図１５】
2007327254.tif 000017